【事件の表示】
　特許第２８２３０１４号「パチンコ機における回路基板収納用箱」の特許に対する特許異議の申立てについて、次のとおり決定する。　
【結　論】
　訂正を認める。
　特許第２８２３０１４号の特許を維持する。
【理　由】
一、本件手続の経緯
　本件特許第２８２３０１４号発明は、昭和６０年７月１７日に出願された類似意匠登録出願（意願昭６０−３０４６１号）を昭和６３年７月１８日に実用新案登録出願（実願昭６３−９５０１７号）に出願変更し、その一部を平成１年１１月２１日に新たな実用新案登録出願（実願平１−１３５１４１号）として分割出願し、さらにその一部を平成７年１２月２８日に新たな実用新案登録出願（実願平７−１４５８７号）として分割出願し、そして該分割出願を平成１０年１月８日に出願変更した特許出願（特願平１０−１４９７４号）に係り、平成１０年９月４日にその発明の設定登録がなされ、その後、特許異議の申立てが河井清悦よりなされ、当審において取消理由を通知したところ、その指定期間内である平成１１年１２月１０日付けで訂正請求がなされたものである。
二、訂正の適否についての判断
１．訂正の内容
　本件訂正の請求の趣旨は、本件特許の明細書を訂正請求書に添付した訂正明細書のとおり訂正することを求めるにあり、その訂正の要旨は、前記訂正請求書の「７．請求の理由」の「（３）訂正の趣旨」の項に記載された次のとおりに訂正しようとするものである。
（１）特許請求の範囲の訂正
ａ．本件特許明細書の特許請求の範囲を、「【請求項１】パチンコ機の裏側に配置固定されて、該パチンコ機に使用される電子部品を実装した回路基板を保護する回路基板収納用箱において、該回路基板収納用箱を、前記パチンコ機の裏側に配置固定され且つその底面形状とほぼ同一形状の１枚の前記回路基板の全体をその底面から浮かせて支持する本体と、該本体内に浮かせて支持される前記回路基板の一側に幅狭に偏在するコネクター部を除く電子部品が実装された部分を覆蓋する蓋体と、により構成し、前記回路基板のコネクター部に対して配線の先端に設けられるコネクターを垂直方向に押圧接続したときに、前記回路基板の一部が変形しないように回路基板のコネクター部の裏面を支持する支持部を前記本体に一体的に形成したことを特徴とするパチンコ機における回路基板収納用箱。」と訂正する。
（２）発明の詳細な説明の訂正
ｂ．本件特許明細書の【０００５】の欄を、「【０００５】【課題を解決するための手段】上記した目的を達成するために、本発明に係る回路基板収納用箱は、実施形態に対応する図面を参照して説明すると、該回路基板収納用箱１０を、パチンコ機の裏側に配置固定され且つその底面形状とほぼ同一形状の１枚の回路基板２０の全体をその底面から浮かせて支持する本体１１と、該本体１１内に浮かせて支持される回路基板２０の一側に幅狭に偏在するコネクター部２１を除く電子部品が実装された部分を覆蓋する蓋体１３と、により構成し、回路基板２０のコネクター部２１に対して配線２２の先端に設けられるコネクター２３を垂直方向に押圧接続したときに、回路基板２０の一部が変形しないように回路基板２０のコネクター部２１の裏面を支持する支持部としての支持用突起１２を本体１１に一体的に形成したことを特徴とするものである。」と訂正する。
ｃ．本件特許明細書の【０００８】の欄を、「【０００８】本体１１上には、図３及び図１０〜図１２にて示すように、その図示下部に支持部として一対の支持用突起１２が一体的に形成してある。これら各支持用突起１２は、回路基板２０側のコネクター部２１の裏面側に位置するものであり、このコネクター部２１を介して回路基板２０に力が加えられたとき、この力を受けるものである。また、本体１１上のやや内側四隅に、該本体１１の底面形状とほぼ同一形状の１枚の回路基板２０を浮かせて止着するための取付ボス１１ａが突設されている。」と訂正する。
ｄ．本件特許明細書の【００１４】の欄を、「【００１４】【発明の効果】以上、説明したところから明らかなように、本発明に係る回路基板収納用箱は、回路基板収納用箱を、パチンコ機の裏側に配置固定され且つその底面形状とほぼ同一形状の１枚の回路基板の全体をその底面から浮かせて支持する本体と、該本体内に浮かせて支持される回路基板の一側に幅狭に偏在するコネクター部を除く電子部品が実装された部分を覆蓋する蓋体と、により構成し、回路基板のコネクター部に対して配線の先端に設けられるコネクターを垂直方向に押圧接続したときに、回路基板の一部が変形しないように回路基板のコネクター部の裏面を支持する支持部を本体に一体的に形成しているので、回路基板収納用箱内に収納した回路基板側のコネクター部に多数の電線を接続したコネクターが差込まれる時に、回路基板側のコネクター部に対して力が加わったとしても、この回路基板は、支持部によって支持されるため、回路基板が湾曲したり破損したりすることがなく、回路基板上の電気的接続の不良や断線という事故を確実に防止することができる。」と訂正する。
２．訂正の目的の適否、新規事項の有無及び拡張・変更の存否
　上記（１）ａ．の訂正は、特許請求の範囲の減縮を目的とするものに該当する。
  また、上記（２）ｂ．、ｃ．及びｄ．の訂正は、発明の詳細な説明の記載を訂正後の特許請求の範囲の記載と整合させるためのものであるから、上記（２）ｂ．、ｃ．及びｄ．の訂正は明りょうでない記載の釈明を目的とするものに該当する。
　そして、これらの訂正は、訂正前の明細書、又は図面に記載された事項の範囲内において訂正するものであって新規事項を追加するものでなく、かつ、実質上特許請求の範囲を拡張、又は変更するものではない。
３．独立特許要件の判断
（１）訂正明細書の発明
　訂正明細書の請求項１に係る発明（以下、「本件発明」という）は、その特許請求の範囲の請求項１に記載された事項により特定される次のとおりのものである。
  「【請求項１】パチンコ機の裏側に配置固定されて、該パチンコ機に使用される電子部品を実装した回路基板を保護する回路基板収納用箱において、該回路基板収納用箱を、前記パチンコ機の裏側に配置固定され且つその底面形状とほぼ同一形状の１枚の前記回路基板の全体をその底面から浮かせて支持する本体と、該本体内に浮かせて支持される前記回路基板の一側に幅狭に偏在するコネクター部を除く電子部品が実装された部分を覆蓋する蓋体と、により構成し、前記回路基板のコネクター部に対して配線の先端に設けられるコネクターを垂直方向に押圧接続したときに、前記回路基板の一部が変形しないように回路基板のコネクター部の裏面を支持する支持部を前記本体に一体的に形成したことを特徴とするパチンコ機における回路基板収納用箱。」
（２）取消理由
　当審において通知した取消理由は、本件の請求項１に係る発明は、本件出願前に頒布された下記引用例１及び引用例２に記載された発明並びに周知技術に基いて当業者が容易に発明をすることができたものであるから、特許法第２９条第２項の規定に違反してされたというものである。
                      　　　　　　　　　　　記
引用例１：実願昭５８−１８０３１７号（実開昭６０−８６３７６号）のマイクロフィム（特許異議申立人提出の甲第１号証）
引用例２：実願昭５６−２７１４２号（実開昭５７−１４０７８３号）のマイクロフィルム（特許異議申立人提出の甲第２号証）
周知例　：実願昭５６−１４３２４７号（実開昭５８−４６４９６号）のマイクロフィルム（特許異議申立人提出の甲第３号証）
（３）各引用例に記載の発明
　上記引用例１には、パチンコ機に関してつぎの事項が記載されている。
　「（１）被制御体を制御する回路基板を収納するコントロールボックスを、着脱可能なカバーケースとべースとで構成し、該カバーケース若しくはベースの一端側をパチンコ機本体内裏側にその他端側が該本体内裏側に対して接近・離間可能に枢着し、前記ベースに、前記回路基板をねじ止めするための複数の取付座を設けたことを特徴とするパチンコ機。」（１頁５〜１３行）、
　「このベース９は箱状をなしており、その上・下端縁部にはそれぞれ当接部１６，１７が設けられている。当接部１６には、その一端側（第８図中、右側）において、前記支持板１３が一体化されており、その他端側にはビス取付用ボス１８が前記取付ボス８に対応して設けられており、支持板１３とビス取付用ボス１７との間における当接部１６には一対のボトル挿通孔１９が穿設されている。当接部１７には、その一端側（第８図中、右側）において前記支持板１４が一体化されており、その一端側近傍にはボス２０が前記ロック用ボス７に対応して設けられている。ベース９の内側両端には、取付座としての一対の回路基板取付用ボス２１，２２，２３，２４，２５及び位置決めピン２６が突設されており、これら一対の回路基板取付用ボス２１〜２５は取付け予定の回路基板の大きさに応じて位置決めされている。」（６頁５行〜７頁２行）、
　「シールドプレート１０は箱状をなしており、その上端縁部には当接部２７が設けられ、その下端縁部両端には一対の取付け部２８が設けられている。シールドプレート１０の底部には、前記一対の回路基板取付用ボス２１，２２，２３，２４及び位置決めピン２６に対応して一対の孔２９，３０，３１，３２，３３が穿設されており、その一対の孔２９〜３３に前記一対の回路基板取付用ボス２１〜２４及び位置決めピン２６が挿通されている。当接部２７には、前記一対のボルト挿通孔１９に対応して一対のボルト挿通孔３４が穿設されており、一対の取付け部２８には前記一対の回路基板取付用ボス２５のねじ穴に対応して一対のボルト挿通孔３５が穿設されている。」（７頁３〜１７行）、
　「カバーケース１１は箱状をなしており、その上・下周壁面には、内外を連通させる複数の放熱孔３６が穿設されている。このカバーケース１１の上端周緑部には前記当接部２７に対応して当接部３７が設けられており、その下端周縁部両端には、前記一対の取付部２８に対応する一対の取付部３８が設けられている。当接部３７には前記一対のボルト挿通孔３４とビス取付用ボス１８とにそれぞれ対応する一対のボルト挿通孔３７ａとビス挿通孔３７ｂとが穿設されており、一対の取付部３８には前記一対のボルト挿通孔３５に対応するボルト挿通孔４０がそれぞれ穿設されている。」（７頁１８行〜８頁１０行）、
　「コントロールボックス１２に収納される回路基板４１はその四隅にビス挿通孔４２及びボルト挿通孔４３が穿設されており、この両挿通孔４２，４３は、本実施例においては、前記一対の回路基板取付用ボス２４，２５に対応している。そして、この回路基板４１は、その上端部がビス挿通孔４２を通ってボス２４に螺合されるビス４４によりシールドプレート１０を介してベース９に取付けられている。カバーケース１１の当接部３７は、ボルト挿通孔３７ａ，３４，１９を通るボルト４５と、ナット４６とによりシールドプレート１０の当接部２７を介してベース９の当接部１６に固定されており、該カバケース１１の一対の取付け部３８は、ボルト挿通孔４０，４３，３５を通って回路基板取付用ボス２５に螺合されるボルト４７により回路基板４１及び一対の取付け部２８を介してベース９の回路基板取付用ボス２５に固定されている。このとき、回路基板４１に設けられた接続端子４８がカバーケース１１の一対の取付部２８の間に位置する。」（８頁１１行〜９頁１１行）。
　つぎに、上記引用例２には、プリント配線基板の保持構造に関して、つぎの事項が記載されている。
　「（１）電子部品差し込み用のソケットを取付けたプリント配線基板の保持構造において、該プリント配線基板のソケット取付部分とケースとの間にサポータを介在せしめると共に、サポータをプリント配線基板に近接させて設置したことを特徴とするプリント配線基板の保持構造。」（１頁５〜１０行）、
　「とくに差し込み動作の場合、Ｐ−ＲＯＭをソケットに差し込んだ後さらに強い力でこれを押圧する場合が多く、このためプリント配線基板１が強い力を受けて弓なりにたわみ、取付部分すなわちスリットｌａ部分にクラックが入ってプリント配線基板１を破損させる場合がある。」（３頁１６行〜４頁１行）、
　「本考案の目的は、プリント配線基板にソケットを取付け、これに抜差し可能な電子部品を取付けた構造において、電子部品の抜き差し時にプリント配線基板が破損しないような新規な構造を提供することにある。」（４頁２〜６行）、
　「このサポータ５の取付位置は、第３，４図からもあきらかなように、ソケット４の真下に位置する。したがって、サボータ５の突起５ｂはソケット４の下面のプリント配線基板１と当接している。」（５頁１８行〜６頁２行）、
　「次に、ソケット４にＰ−ＲＯＭなどの半導体集積回路が差し込まれ、これが完全に取付けられた後さらに押圧されると、プリント配線基板１が大きな押圧力を受けるが下からサポータ５に支えられているため、たわむことができない。このため、プリント配線基板１のスリットｌａには何ら力が作用せず、これを破損することもない。」（６頁３〜９行）、
　「以上詳細に説明したように、本考案によれば、ソケットを取付けたプリント配線基板において、ソケット取付部分とケースとの間にサポータを介在せしめているため、ソケットがケース方向に強く押圧されてもプリント配線基板のたわみが極めて少なく、したがって、プリント配線基板の取付部分に殆んど力が掛らないため、これが割れたりクラックが入るような不都合は一切生じなくなった。」（６頁１３〜２０行）。
　さらに、周知例には、弾球遊技機における回路基板収納装置に関して、「（１）弾球遊技機の遊技盤に装着される各種部品を電気的に制御するための電子回路を含む回路基板を収納しかつ遊技盤の裏面に設けられた機構板に装着される回路基板収納装置であって、前記回路基板を収納可能な大きさの箱状に形成され、外部から静電気が入り込まずかつ回路基板で発生した熱を放熱可能な相対的に小さな径に選ばれた孔が少なくとも前記機構板に装着されたときに上向きとなる上面の長手方向に沿って複数個穿設された筐体、前記筐体を前記機構板に装着したとき機構板に相対する面に関連的に装着されかつ機構板に取付けるための取付部材、および前記取付部材を前記機構板に取付ける取付具を備えた、弾球遊技機における回路基板収納装置。」（１頁５〜１９行）が記載されている。
（４）対比・判断
　本件発明と上記引用例１及び引用例２に記載の発明とを対比すると、引用例１及び引用例２に記載の発明は、本件発明を特定する、本件訂正によって限定された事項である「回路基板のコネクター部の裏面を支持する支持部を前記本体に一体的に形成したこと」の構成を備えていない。また、周知例においても該構成が記載されていない。そして、本件発明は前記構成により明細書記載の効果を奏するものと認められるから、本件発明を、上記引用例１及び引用例２に記載の発明並びに周知技術に基いて当業者が容易に発明をすることができたものとすることはできない。
　したがって、本件発明は特許出願の際独立して特許を受けることができるものである。
４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項の規定において準用する同第１２６条第２ないし４項の訂正に関する規定に適合するので、当該訂正を認める。
三、特許異議の申立てについて
１．特許異議申立理由の概要
　特許異議申立人河井清悦は、下記の証拠方法を提示して、本件の請求項１に係る発明は、甲第１号証及び甲第２号証に記載された発明並びに甲第３号証及び甲第４号証に記載の周知技術に基いて当業者が容易に発明をすることができたものであるから、特許法第２９条第２項の規定により特許を受けることができないものであり、本件特許は取り消されるべきである、と主張している。
　　　　　　　　　　　　　　　　　　　　　　記
甲第１号証：実願昭５８−１８０３１７号（実開昭６０−８６３７６号）のマイクロフィルム
甲第２号証：実願昭５６−２７１４２号（実開昭５７−１４０７８３号）のマイクロフィルム
甲第３号証：実願昭５６−１４３２４７号（実開昭５８−４６４９６号）のマイクロフィルム
甲第４号証：実願昭５９−５１１２７号（実開昭６０−１６３９８７号）のマイクロフィルム
２．当審の判断
（１）本件発明
　本件発明は、上記二、３．独立特許要件の判断の（１）訂正明細書の発明の項に記載したとおりのものである。
（２）甲第１号証に記載の発明
　上記甲第１号証には、上記二、３．独立特許要件の判断の（３）各引用例に記載の発明の項に引用例１に記載の発明として記載したとおりの発明が記載されている。
　しかし、甲第１号証には、本件発明の「回路基板のコネクター部の裏面を支持する支持部を前記本体に一体的に形成したこと」の構成が記載されてなく、また示唆されてもいない。
　また、特許異議申立人が提出した他の甲第２号証及び甲第３号証にも、本件発明の上記「回路基板のコネクター部の裏面を支持する支持部を前記本体に一体的に形成したこと」の構成が記載されてなく、また示唆もない。（なお、特許異議申立人が提出した甲第４号証は、本件特許の出願の日である昭和６０年７月１７日の後の昭和６０年１０月３１日に頒布された刊行物であり、本件特許の出願前に頒布された刊行物に該当しないので、周知技術を立証する証拠方法として採用することができない。）そして、本件発明は前記構成により明細書記載の効果を奏するものと認められるから、本件発明を、甲第１号証乃至甲第２号証に記載された発明並びに甲第３号証及び甲第４号証に記載の周知技術に基いて当業者が容易に発明をすることができたもの、とすることができない。
３．むすび
　以上のとおりであるから、特許異議申立人の申立ての理由及び提出した証拠方法によっては、本件発明の特許を取り消すことができない。また、他に本件発明の特許を取り消すべき理由を発見しない。
　よって、結論のとおり決定する。
【異議決定日】
平成１２年２月１５日（２０００．２．１５）
【訂正の要旨】
訂正の要旨
　▲１▼特許第２８２３０１４号発明の明細書中特許請求の範囲に
「【請求項１】パチンコ機の裏側に配置固定されて、該パチンコ機に使用される電子部品を実装した回路基板を保護する回路基板収納用箱において、該回路基板収納用箱を、前記パチンコ機の裏側に配置固定され且つその底面形状とほぼ同一形状の１枚の前記回路基板の全体をその底面から浮かせて支持する本体と、該本体内に浮かせて支持される前記回路基板の一側に幅狭に偏在するコネクター部を除く電子部品が実装された部分を覆蓋する蓋体と、により構成し、前記回路基板のコネクター部に対して配線の先端に設けられるコネクターを垂直方向に押圧接続したときに、前記回路基板の一部が変形しないように回路基板のコネクター部の裏面を支持する支持部を前記本体に設けたことを特徴とするパチンコ機における回路基板収納用箱。」とあるのを、特許請求の範囲の減縮を目的として、
「【請求項１】パチンコ機の裏側に配置固定されて、該パチンコ機に使用される電子部品を実装した回路基板を保護する回路基板収納用箱において、該回路基板収納用箱を、前記パチンコ機の裏側に配置固定され且つその底面形状とほぼ同一形状の１枚の前記回路基板の全体をその底面から浮かせて支持する本体と、該本体内に浮かせて支持される前記回路基板の一側に幅狭に偏在するコネクター部を除く電子部品が実装された部分を覆蓋する蓋体と、により構成し、前記回路基板のコネクター部に対して配線の先端に設けられるコネクターを垂直方向に押圧接続したときに、前記回路基板の一部が変形しないように回路基板のコネクター部の裏面を支持する支持部を前記本体に一体的に形成したことを特徴とするパチンコ機における回路基板収納用箱。」と、訂正する。
　▲２▼特許第２８２３０１４号発明の明細書の段落番号【０００５】（特許掲載公報２頁３欄２２〜３７行）に、
「【０００５】【課題を解決するための手段】上記した目的を達成するために、本発明に係る回路基板収納用箱は、実施形態に対応する図面を参照して説明すると、該回路基板収納用箱１０を、パチンコ機の裏側に配置固定され且つその底面形状とほぼ同一形状の１枚の回路基板２０の全体をその底面から浮かせて支持する本体１１と、該本体１１内に浮かせて支持される回路基板２０の一側に幅狭に在するコネクター部２１を除く電子部品が実装された部分を覆蓋する蓋体１３と、により構成し、回路基板２０のコネクター部２１に対して配線２２の先端に設けられるコネクター２３を垂直方向に押圧接続したときに、回路基板２０の一部が変形しないように回路基板２０のコネクター部２１の裏面を支持する支持部としての支持用突起１２を本体１１に設けたことを特徴とするものである。」とあるのを、明りょうでない記載の釈明を目的として、
「【０００５】【課題を解決するための手段】上記した目的を達成するために、本発明に係る回路基板収納用箱は、実施形態に対応する図面を参照して説明すると、該回路基板収納用箱１０を、パチンコ機の裏側に配置固定され且つその底面形状とほぼ同一形状の１枚の回路基板２０の全体をその底面から浮かせて支持する本体１１と、該本体１１内に浮かせて支持される回路基板２０の一側に幅狭に偏在するコネクター部２１を除く電子部品が実装された部分を覆蓋する蓋体１３と、により構成し、回路基板２０のコネクター部２１に対して配線２２の先端に設けられるコネクター２３を垂直方向に押圧接続したときに、回路基板２０の一部が変形しないように回路基板２０のコネクター部２１の裏面を支持する支持部としての支持用突起１２を本体１１に一体的に形成したことを特徴とするものである。」と、訂正する。
　▲３▼特許第２８２３０１４号発明の明細書の段落番号【０００８】（特許掲載公報２頁４欄１３〜２５行）に、
「【０００８】本体１１上には、図３及び図１０〜図１２にて示すように、その図示下部に支持部として一対の支持用突起１２が一体的に形成してある。これら各支持用突起１２は、回路基板２０側のコネクター部２１の裏面側に位置するものであり、このコネクター部２１を介して回路基板２０に力が加えられたとき、この力を受けるものである。また、本体１１上のやや内側四隅に、該本体１１の底面形状とほぼ同一形状の１枚の回路基板２０を浮かせて止着するための取付ボス１１ａが突設されている。なお、本実施形態においては、各支持用突起１２は、本体１１と一体的に形成したが、別体に形成して設けてもよいし、その形状も支持する構造であればどのような構造であってもよい。」とあるのを、明りょうでない記載の釈明を目的として、
「【０００８】本体１１上には、図３及び図１０〜図１２にて示すように、その図示下部に支持部として一対の支持用突起１２が一体的に形成してある。これら各支持用突起１２は、回路基板２０側のコネクター部２１の裏面側に位置するものであり、このコネクター部２１を介して回路基板２０に力が加えられたとき、この力を受けるものである。また、本体１１上のやや内側四隅に、該本体１１の底面形状とほぼ同一形状の１枚の回路基板２０を浮かせて止着するための取付ボス１１ａが突設されている。」と、訂正する。
　▲４▼特許第２８２３０１４号発明の明細書の段落番号【００１４】（特許掲載公報３頁５欄３７行〜３頁６欄１２行）に、
「【００１４】【発明の効果】以上、説明したところがら明らかなように、本発明に係る回路基板収納用箱は、回路基板収納用箱を、パチンコ機の裏側に配置固定され且つその底面形状とほぼ同一形状の１枚の回路基板の全体をその底面から浮かせて支持する本体と、該本体内に浮かせて支持される回路基板の一側に幅狭に偏在するコネクター部を除く電子部品が実装された部分を覆蓋する蓋体と、により構成し、回路基板のコネクター部に対して配線の先端に設けられるコネクターを垂直方向に押圧接続したときに、回路基板の一部が変形しないように回路基板のコネクター部の裏面を支持する支持部を本体に設けられているので、回路基板収納用箱内に収納した回路基板側のコネクター部に多数の電線を接続したコネクターが差込まれる時に、回路基板側のコネクター部に対して力が加わったとしても、この回路基板は、支持部によって支持されるため、回路基板が湾曲したり破損したりすることがなく、回路基板上の電気的接続の不良や断線という事故を確実に防止することができる。」とあるのを、明りょうでない記載の釈明を目的として、
「【００１４】【発明の効果】以上、説明したところがら明らかなように、本発明に係る回路基板収納用箱は、回路基板収納用箱を、パチンコ機の裏側に配置固定され且つその底面形状とほぼ同一形状の１枚の回路基板の全体をその底面から浮かせて支持する本体と、該本体内に浮かせて支持される回路基板の一側に幅狭に偏在するコネクター部を除く電子部品が実装された部分を覆蓋する蓋体と、により構成し、回路基板のコネクター部に対して配線の先端に設けられるコネクターを垂直方向に押圧接続したときに、回路基板の一部が変形しないように回路基板のコネクター部の裏面を支持する支持部を本体に一体的に形成しているので、回路基板収納用箱内に収納した回路基板側のコネクター部に多数の電線を接続したコネクターが差込まれる時に、回路基板側のコネクター部に対して力が加わったとしても、この回路基板は、支持部によって支持されるため、回路基板が湾曲したり破損したりすることがなく、回路基板上の電気的接続の不良や断線という事故を確実に防止することができる。」と、訂正する。
（５４）【発明の名称】
パチンコ機における回路基板収納用箱
（５７）【特許請求の範囲】
　　【請求項１】　パチンコ機の裏側に配置固定されて、該パチンコ機に使用される電子部品を実装した回路基板を保護する回路基板収納用箱において、
　該回路基板収納用箱を、前記パチンコ機の裏側に配置固定され且つその底面形状とほぼ同一形状の１枚の前記回路基板の全体をその底面から浮かせて支持する本体と、該本体内に浮かせて支持される前記回路基板の一側に幅狭に偏在するコネクター部を除く電子部品が実装された部分を覆蓋する蓋体と、により構成し、前記回路基板のコネクター部に対して配線の先端に設けられるコネクターを垂直方向に押圧接続したときに、前記回路基板の一部が変形しないように回路基板のコネクター部の裏面を支持する支持部を前記本体に
一体的に形成し
【発明の詳細な説明】
　　　【０００１】
　　【発明の属する技術分野】
　本発明は、パチンコ機の裏側に配置されて、該パチンコ機に使用される電子部品を実装した回路基板を保護する回路基板収納用箱に関するものである。
　　　【０００２】
　　【従来の技術】
　近年のパチンコ機は、多種多様のＩＣ・ＬＳＩ等の電子部品を採用して構成されるようになってきているが、これらの電子部品は、パチンコ機の裏側における各種作業から保護されなければならず、また、ホコリ等からも保護しなければならない。そのために、従来は、上記のような電子部品を回路基板上にまとめると共に、これをパチンコ機の裏側に配置固定される収納用箱内に収納することが行われていた。そして、この収納用箱は、単に回路基板を支持収納するだけの構造であった。
　　　【０００３】
　　　【発明が解決しようとする課題】
　ところが、パチンコ機における実状を加味すると、電子部品を実装した回路基板を単に箱体内に収納するのみでは、十分なものとは言えなかった。すなわち、回路基板に対しては、多数の電線を接続しなければならないが、この接続は、回路基板側のコネクターに多数の電線を接続したコネクターを差込むことにより行われる。この差込み時には、回路基板側に大きな力が加わることになるが、この力によって回路基板が大きく湾曲したり破損したりして、回路基板上の配線パターンと電子部品との電気的接続が不良になるだけでなく、場合によっては回路基板上の配線パターンが断線するという問題があった。
　　　【０００４】
　本発明は、上記した問題点に鑑みなされたもので、その目的とするところは、収納された回路基板に力が加えられてもこれによる回路基板上の電気的接続の不良や断線という事故を確実に防止することができるパチンコ機における回路基板収納用箱を提供することにある。
　　　【０００５】
　　【課題を解決するための手段】
　上記した目的を達成するために、本発明に係る回路基板収納用箱は、実施形態に対応する図面を参照して説明すると、
　該回路基板収納用箱１０を、パチンコ機の裏側に配置固定され且つその底面形状とほぼ同一形状の１枚の回路基板２０の全体をその底面から浮かせて支持する本体１１と、該本体１１内に浮かせて支持される回路基板２０の一側に幅狭に偏在するコネクター部２１を除く電子部品が実装された部分を覆蓋する蓋体１３と、により構成し、回路基板２０のコネクター部２１に対して配線２２の先端に設けられるコネクター２３を垂直方向に押圧接続したときに、回路基板２０の一部が変形しないように回路基板２０のコネクター部２１の裏面を支持する支持部としての支持用突起１２を本体１１に
一体的に形成し
　　　【０００６】
　上記のように構成されることにより、回路基板２０は、本体１１と蓋体１３とによって形成される空所内に収納されるのであるが、図７に示すように、特にそのコネクター部２１が形成されている部分の裏面が本体１１上の支持部としての支持用突起１２によって支持され得る状態になる。これにより、このコネクター部２１に多数の配線２２を接続したコネクター２３が垂直方向から差込まれる時に、回路基板２０側のコネクター部２１に対して力が加わったとしても、この回路基板２０は、支持用突起１２によって支持されるため、回路基板２０が湾曲したり破損したりすることがなく、回路基板２０上の電気的接続の不良や断線という事故を確実に防止することができる。
　　　【０００７】
　　【発明の実施の形態】
　以下、図面を参照して、本発明に係る実施形態について説明する。図１は、本発明に係る回路基板収納用箱１０の斜視図が示してあり、この回路基板収納用箱１０は、図３に示すように、主として本体１１とこれに嵌合固定される蓋体１３とからなっている。そして、この回路基板収納用箱１０は、図２に示したように、その本体１１をパチンコ機１の裏面に固定することにより、この裏側の所定箇所に配置され、図３及び図７に示したように、本体１１と蓋体１３とによって構成された空間内に回路基板２０を収納するものである。
　　　【０００８】
　本体１１上には、図３及び図１０〜図１２にて示すように、その図示下部に支持部として一対の支持用突起１２が一体的に形成してある。これら各支持用突起１２は、回路基板２０側のコネクター部２１の裏面側に位置するものであり、このコネクター部２１を介して回路基板２０に力が加えられたとき、この力を受けるものである。また、本体１１上のやや内側四隅に、該本体１１の底面形状とほぼ同一形状の１枚の回路基板２０を浮かせて止着するための取付ボス１１ａが突設されている
。
　　　【０００９】
　蓋体１３は、図７〜図９に示すように、回路基板２０及びこれに実装された各種電子部品を収納するのに適した収納部を有するものであり、回路基板２０の一側に幅狭に偏在するコネクター部２１を除く電子部品が実装された部分を覆蓋する板状部１３ａとコネクター部２１の上方を開放する開口窓１３ｂとからなるものであり、また、図示の実施形態においては、蓋体１３の上側面に空気抜け孔１３ｃが形成されている。更に、蓋体１３の左右両側側壁を図示下方に延在させることにより、図４〜図６に示すように、この延在部分を保護壁１４としているものである。これらの保護壁１４は、図２に示したように、回路基板２０側のコネクター部２１と配線２２側のコネクター２３とを一体化して構成されるコネクター部を保護するものであり、このコネクター部の左右両側を覆うことができる程度の大きさのものとしてある。
　　　【００１０】
　また、図１及び図４に示したように、この蓋体１３の図示右側部分には、収納凹所１５が形成してある。この収納凹所１５は、蓋体１３の右側部分に段部１５ａを形成すると共に、この段部１５ａの上下両端部に突起１５ｂを立設することにより形成したものである。なお、この収納凹所１５は、上下に連続する溝として形成して実施することもできるが、本実施形態のように、段部１５ａと上下の突起１５ｂによって構成した方が、両突起１５ｂ間に指等を入れる隙間を形成することができて、収納凹所１５内の配線２２を取出す場合等の作業をより良好に行えるものである。
　　　【００１１】
　以上のように構成された回路基板収納用箱１０においては、回路基板２０が本体１１と蓋体１３とによって形成される空所内に収納されるのであるが、図７に示すように、特にそのコネクター部２１が形成されている部分の裏面が本体１１上の支持用突起１２によって支持され得る状態になる。つまり、回路基板２０のコネクター部２１は、それまで支持用突起１２から浮いた状態にあったとしても、その下側に支持用突起１２が存在することによって、この支持用突起１２に支持され得るのである。これにより、このコネクター部２１に多数の配線２２を接続したコネクター２３が垂直方向から差込まれる時に、回路基板２０側のコネクター部２１に対して力が加わったとしても、この回路基板２０は、支持用突起１２によって支持されるため、回路基板２０が湾曲したり破損したりすることがなく、回路基板２０上の電気的接続の不良や断線という事故を確実に防止することができる。
　　　【００１２】
　また、回路基板２０側のコネクター部２１に配線２２側のコネクター２３が差し込まれたとき、このコネクター部２１は、図２に示すように、蓋体１３に一体的に形成した各保護壁１４によって特にその両側が保護されるのである。これにより、この回路基板収納用箱１０の周囲において、パチンコ店の店員等が各種作業を行うに際し、その道具や身体等がコネクター部２１あるいはコネクター２３に直接接触するのを防止している。従って、両コネクター部２１及びコネクター２３の接触不良が発生したり、一方のコネクター部２１から他方のコネクター２３が外れたりするようなことはない。
　　　【００１３】
　更に、多数の配線２２は、図２に示したように、回路基板収納用箱１０が有している収納凹所１５内に一ケ所に集約した状態で収納される。これにより、各配線２２が特に回路基板収納用箱１０の周囲においてバラバラに露出することはなく、パチンコ機の裏側は、整然となった状態となるのである。
　　　【００１４】
　　【発明の効果】
　以上、説明したところがら明らかなように、本発明に係る回路基板収納用箱は、回路基板収納用箱を、パチンコ機の裏側に配置固定され且つその底面形状とほぼ同一形状の１枚の回路基板の全体をその底面から浮かせて支持する本体と、該本体内に浮かせて支持される回路基板の一側に幅狭に偏在するコネクター部を除く電子部品が実装された部分を覆蓋する蓋体と、により構成し、回路基板のコネクター部に対して配線の先端に設けられるコネクターを垂直方向に押圧接続したときに、回路基板の一部が変形しないように回路基板のコネクター部の裏面を支持する支持部を本体に
一体的に形成し
【図面の簡単な説明】
　　【図１】
　本発明に係る回路基板収納用箱の斜視図である。
　　【図２】
　回路基板収納用箱を配置したパチンコ機の背面図である。
　　【図３】
　回路基板収納箱の分解斜視図である。
　　【図４】
　回路基板収納用箱の正面図である。
　　【図５】
　回路基板収納用箱の右側面図である。
　　【図６】
　回路基板収納用箱の底面図である。
　　【図７】
　図４のＡ−Ａ線に沿ってみた断面図である。
　　【図８】
　図４のＢ−Ｂ線に沿ってみた断面図である。
　　【図９】
　図４のＣ−Ｃ線に沿ってみた断面図である。
　　【図１０】
　回路基板収納用箱の本体の側面図である。
　　【図１１】
　回路基板収納用箱の本体の正面図である。
　　【図１２】
　回路基板収納用箱の本体の底面図である。
　　【図１３】
　蓋体の背面図である。
　　【符号の説明】
　１０　回路基板収納用箱
　１１　本体
　１２　支持用突起（支持部）
　１３　蓋体
　１３ａ　板状部
　１３ｂ　開口窓
　１３ｃ　空気抜け孔
　１４　保護壁
　１５　収納凹所
　２０　回路基板
　２１　コネクター部
　２２　電線
　２３　コネクター